(57)【要約】【課題】紙葉を綴じこみやすく、綴じこんだ紙葉が破損・脱離しにくく、綴じこんだ紙葉を取り外しやすいという紙葉の綴じ具および紙葉の綴じ込み用ファイルを提供する。【解決手段】基板１の一辺からヒンジ２ａを介して綴じ板３が折り曲げ自在に延出しており、綴じ板３はその先端部３aとの間に存在するヒンジ２ｂで折り曲げ自在であり、その先端部３ａの手前には２以上の掛止孔４ａが穿設されており、綴じ板３の掛止孔４ａ周囲には２以上の切り込み５ａが存在し、基板１には２以上の掛止棒６が立設されており、掛止棒６はその中心軸６ａより側方に張り出した外れ止め６ｂを有し、掛止孔４ａの径は外れ止め６ｂの最大径より小さく最小径と同等以上であり、掛止孔４ａは掛止棒６に嵌脱自在である紙葉の綴じ具。該綴じ具を具備したファイル。【選択図】図１６
2005335359.tif 000002
【特許請求の範囲】
【請求項１】
基板１の一辺からヒンジ２ａを介して綴じ板３が折り曲げ自在に延出しており、綴じ板３はその先端部３aとの間に存在するヒンジ２ｂで折り曲げ自在であり、その先端部３ａの手前には２以上の掛止孔４ａが穿設されており、綴じ板３の掛止孔４ａ周囲には２以上の切り込み５ａが存在し、基板１には２以上の掛止棒６が立設されており、掛止棒６はその中心軸６ａより側方に張り出した外れ止め６ｂを有し、掛止孔４ａの径は外れ止め６ｂの最大径より小さく最小径と同等以上であり、掛止孔４ａは掛止棒６に嵌脱自在であることを特徴とする紙葉の綴じ具Ａ１。
【請求項２】
綴じ板３の先端部３aからヒンジ２ｃを介して補助綴じ板３ｂが折り曲げ自在に延出しており、補助綴じ板３ｃには２以上の補助掛止孔４ｂが穿設されており、補助綴じ板３ｂの補助掛止孔４ｂ周囲には２以上の切り込み５ｂが存在し、補助掛止孔４ｂの径は外れ止め６ｂの最大径より小さく最小径と同等以上であり、補助掛止孔４ｂは掛止棒６に嵌脱自在であることを特徴とする請求項１記載の紙葉の綴じ具Ａ２。
【請求項３】
掛止孔４ａ周囲の切り込み５ａは、掛止孔４ａの中心に向かって等間隔で３、４、６または８個存在し、補助掛止孔４ｂ周囲の切り込み５ｂは、補助掛止孔４ｂの中心に向かって等間隔で３、４、６または８個存在することを特徴とする請求項１記載の紙葉の綴じ具Ａ１または請求項２記載の紙葉の綴じ具Ａ２。
【請求項４】
外れ止め６ｂは、中心軸６ａより側方に張り出した頭部６ｃと中心軸６ａから側方へ延出した鍔６ｄ、または中心軸６ａから側方へ延出した２以上の鍔６ｄであることを特徴とする請求項１記載の紙葉の綴じ具Ａ１または請求項２記載の紙葉の綴じ具Ａ２。
【請求項５】
基板１の一辺からヒンジ２ａを介して綴じ板３が折り曲げ自在に延出しており、綴じ板３はその先端部３aとの間に存在するヒンジ２ｂで折り曲げ自在であり、基板１の前記一辺を下辺とする窓７および基板１と綴じ板３間のヒンジ２ａから折り曲げ自在に延出した張り出し板８を有し、その先端部３a手前には２以上の掛止孔４ａが穿設されており、綴じ板３の掛止孔４ａ周囲には２以上の切り込み５ａが存在し、掛止孔４ａの径は外れ止め６ｂの最大径より小さく最小径と同等以上であり、基板１には２以上の掛止棒６が立設しており、掛止棒６はその中心軸６ａより側方に張り出した外れ止め６ｂを有し、掛止孔４ａは掛止棒６に嵌脱自在であることを特徴とする紙葉の綴じ具Ａ３。
【請求項６】
綴じ板３の先端部３ａからヒンジ２ｃを介して補助綴じ板３ｂが折り曲げ自在に延出しており、補助綴じ板３ｂには２以上の補助掛止孔４ｂが穿設されており、補助綴じ板３ｂの補助掛止孔４ｂ周囲には２以上の切り込み５ｂが存在し、補助掛止孔４ｂの径は外れ止め６ｂの最大径より小さく最小径と同等以上であり、補助掛止孔４ｂは基板１に立設された掛止棒６に嵌脱自在であることを特徴とする請求項５記載の紙葉の綴じ具Ａ４。
【請求項７】
掛止孔４ａ周囲の切り込み５ａは、掛止孔４ａの中心に向かって等間隔で３、４、６または８個存在し、補助掛止孔４ｂ周囲の切り込み５ｂは、補助掛止孔４ｂの中心に向かって等間隔で３、４、６または８個存在することを特徴とする請求項５記載紙葉の綴じ具Ａ３または請求項６記載の紙葉の綴じ具Ａ４。
【請求項８】
外れ止め６ｂは、中心軸６ａより側方に張り出した頭部６ｃと中心軸６ａから側方へ延出した鍔６ｄ、または中心軸６ａから側方へ延出した２以上の鍔６ｄであることを特徴とする請求項５綴じ具Ａ３または請求項６記載の紙葉の綴じ具Ａ４。
【請求項９】
基板１、綴じ板３、補助綴じ板３ｂおよび張り出し板８が硬質かつ可撓性を有するプラスチック製であることを特徴とする請求項１、請求項２、請求項５または請求項６記載の紙葉の綴じ具Ａ１、Ａ２、Ａ３またはＡ４。
【請求項１０】
掛止棒６も硬質かつ可撓性を有するプラスチック製であることを特徴とする請求項９記載の紙葉の綴じ具Ａ１、Ａ２、Ａ３またはＡ４。
【請求項１１】
プラスチックがポリプロピレン樹脂であることを特徴とする請求項９または請求項１０記載の紙葉の綴じ具Ａ１、Ａ２、Ａ３またはＡ４。
【請求項１２】
表板９、背板１０および裏板１１を表板・背板間のヒンジ２ｄおよび背板・裏板間のヒンジ２ｅで開閉自在に連設してなるファイル本体１２と、請求項１記載の紙葉の綴じ具Ａ１または請求項２記載の紙葉の綴じ具Ａ２とからなり、ヒンジ２ａがヒンジ２ｄ、ヒンジ２ｅに平行になるように配置され、基板１裏面が表板９、背板１０または裏板１１の内面に固設されていることを特徴とするファイルＢ１。
【請求項１３】
表板９、背板１０および裏板１１を表板・背板間のヒンジ２ｄおよび背板・裏板間のヒンジ２ｅで開閉自在に連設してなるファイル本体１２と、請求項５記載の紙葉の綴じ具Ａ３または請求項６記載の紙葉の綴じ具Ａ４とからなり、ヒンジ２ａがヒンジ２ｄ、ヒンジ２ｅに平行になるように配置され、張り出し板８裏面が表板９、背板１０または裏板１１の内面に固設されており、紙葉の綴じ具Ａ３または紙葉の綴じ具Ａ４は基板１と張り出し板８間のヒンジ２ａを支点として回動自在であることを特徴とするファイルＢ２。
【発明の詳細な説明】
【技術分野】
【０００１】
本発明は、書類、伝票、パンフレット、小冊子等の紙葉の綴じ具および該綴じ具を具備したファイルに関する。
【背景技術】
【０００２】
書類、伝票、パンフレット、小冊子等の紙葉の綴じ具として、ダブルクリックが周知であり汎用されているが、バネ板先端を開くのに少なからぬ力を必要とし、紙葉数が少ないと綴じた紙葉が脱落しやすく、幅の広い紙葉に適さないという問題がある。また、書類、伝票、パンフレット等の紙葉の綴じ込み用ファイルとしてリング式ファイル、パイプ式ファイル、フラットファイル、レバーアーチ式ファイルが周知であり汎用されており、種々の新規なファイルが提案されている（特許文献１〜特許文献４参照）が、しかし、一般にリング式ファイルやパイプ式ファイルは綴じた紙葉間および綴じ込み用孔に遊びがあるので該孔と紙葉の縁との間が破損して脱落しやすいという問題がある。掛止孔周囲に補強用リング紙を貼り付けて破損防止ができるが、所定位置に貼り付けるのは容易でない。パイプ式ファイルやフラットファイルは、掛止具の取り外しと取り付けに手間を要するという問題がある。レバーアーチ式ファイルは、レバーを押さえつけて紙葉を固定する際およびレバーを掛止具から外すのに少なからぬ力を必要とするという問題、および紙葉数が多いと綴じた紙葉が脱落しやすいという問題がある。
【０００３】
【特許文献１】特開２０００−２４７０８５号公報
【特許文献２】特開２００１−４７７８３号公報
【特許文献３】特開２００２−３３７４９３号公報
【特許文献４】特開２００３−１５４７８０号公報
【発明の開示】
【発明が解決しようとする課題】
【０００４】
かかる状況に鑑み、本発明者は上記問題のない紙葉の綴じ具および紙葉綴じ込み用ファイルを開発すべく鋭意研究した結果、紙葉を綴じこみやすく、綴じこんだ紙葉が破損・脱落しにくく、綴じこんだ紙葉を取り外しやすいという紙葉の綴じ具および紙葉の綴じ込み用ファイルを発明するに至った。
【課題を解決するための手段】
【０００５】
本発明は、[1]基板１の一辺からヒンジ２ａを介して綴じ板３が折り曲げ自在に延出しており、綴じ板３はその先端部３aとの間に存在するヒンジ２ｂで折り曲げ自在であり、その先端部３ａの手前には２以上の掛止孔４ａが穿設されており、綴じ板３の掛止孔４ａ周囲には２以上の切り込み５ａが存在し、基板１には２以上の掛止棒６が立設されており、掛止棒６はその中心軸６ａより側方に張り出した外れ止め６ｂを有し、掛止孔４ａの径は外れ止め６ｂの最大径より小さく最小径と同等以上であり、掛止孔４ａは掛止棒６に嵌脱自在であることを特徴とする紙葉の綴じ具Ａ１。
[2]綴じ板３の先端部３aからヒンジ２ｃを介して補助綴じ板３ｂが折り曲げ自在に延出しており、補助綴じ板３ｃには２以上の補助掛止孔４ｂが穿設されており、補助綴じ板３ｂの補助掛止孔４ｂ周囲には２以上の切り込み５ｂが存在し、補助掛止孔４ｂの径は外れ止め６ｂの最大径より小さく最小径と同等以上であり、補助掛止孔４ｂは掛止棒６に嵌脱自在であることを特徴とする[1]記載の紙葉の綴じ具Ａ２。
[3]掛止孔４ａ周囲の切り込み５ａは、掛止孔４ａの中心に向かって等間隔で３、４、６または８個存在し、補助掛止孔４ｂ周囲の切り込み５ｂは、補助掛止孔４ｂの中心に向かって等間隔で３、４、６または８個存在することを特徴とする[1]記載の紙葉の綴じ具Ａ１または[2]記載の紙葉の綴じ具Ａ２。
[4]外れ止め６ｂは、中心軸６ａより側方に張り出した頭部６ｃと中心軸６ａから側方へ延出した鍔６ｄ、または中心軸６ａから側方へ延出した２以上の鍔６ｄであることを特徴とする[1]記載の紙葉の綴じ具Ａ１または[2]記載の紙葉の綴じ具Ａ２。
[5]基板１の一辺からヒンジ２ａを介して綴じ板３が折り曲げ自在に延出しており、綴じ板３はその先端部３aとの間に存在するヒンジ２ｂで折り曲げ自在であり、基板１の前記一辺を下辺とする窓７および基板１と綴じ板３間のヒンジ２ａから折り曲げ自在に延出した張り出し板８を有し、その先端部３a手前には２以上の掛止孔４ａが穿設されており、綴じ板３の掛止孔４ａ周囲には２以上の切り込み５ａが存在し、掛止孔４ａの径は外れ止め６ｂの最大径より小さく最小径と同等以上であり、基板１には２以上の掛止棒６が立設しており、掛止棒６はその中心軸６ａより側方に張り出した外れ止め６ｂを有し、掛止孔４ａは掛止棒６に嵌脱自在であることを特徴とする紙葉の綴じ具Ａ３。
[6]綴じ板３の先端部３ａからヒンジ２ｃを介して補助綴じ板３ｂが折り曲げ自在に延出しており、補助綴じ板３ｂには２以上の補助掛止孔４ｂが穿設されており、補助綴じ板３ｂの補助掛止孔４ｂ周囲には２以上の切り込み５ｂが存在し、補助掛止孔４ｂの径は外れ止め６ｂの最大径より小さく最小径と同等以上であり、補助掛止孔４ｂは基板１に立設された掛止棒６に嵌脱自在であることを特徴とする[5]記載の紙葉の綴じ具Ａ４。
[7]掛止孔４ａ周囲の切り込み５ａは、掛止孔４ａの中心に向かって等間隔で３、４、６または８個存在し、補助掛止孔４ｂ周囲の切り込み５ｂは、補助掛止孔４ｂの中心に向かって等間隔で３、４、６または８個存在することを特徴とする[5]記載紙葉の綴じ具Ａ３または[6]記載の紙葉の綴じ具Ａ４。
[8]外れ止め６ｂは、中心軸６ａより側方に張り出した頭部６ｃと中心軸６ａから側方へ延出した鍔６ｄ、または中心軸６ａから側方へ延出した２以上の鍔６ｄであることを特徴とする[5]記載の綴じ具Ａ３または[6]記載の紙葉の綴じ具Ａ４。
[9] 基板１、綴じ板３、補助綴じ板３ｂおよび張り出し板８が硬質かつ可撓性を有するプラスチック製であることを特徴とする[1]、[2]、[5]または[6]記載の紙葉の綴じ具Ａ１、Ａ２、Ａ３またはＡ４。
[10]掛止棒６も硬質かつ可撓性を有するプラスチック製であることを特徴とする[9]記載の紙葉の綴じ具Ａ１、Ａ２、Ａ３またはＡ４。
[11]プラスチックがポリプロピレン樹脂であることを特徴とする[9]または[10]記載の紙葉の綴じ具Ａ１、Ａ２、Ａ３またはＡ４。
[12]表板９、背板１０および裏板１１を表板・背板間のヒンジ２ｄおよび背板・裏板間のヒンジ２ｅで開閉自在に連設してなるファイル本体１２と、[1]記載の紙葉の綴じ具Ａ１または[2]記載の紙葉の綴じ具Ａ２とからなり、ヒンジ２ａがヒンジ２ｄ、ヒンジ２ｅに平行になるように配置され、基板１の裏面が表板９、背板１０または裏板１１の内面に固設されていることを特徴とするファイルＢ１。
[13]表板９、背板１０および裏板１１を表板・背板間のヒンジ２ｄおよび背板・裏板間のヒンジ２ｅで開閉自在に連設してなるファイル本体１２と、[5]記載の紙葉の綴じ具Ａ３または[6]記載の紙葉の綴じ具Ａ４とからなり、ヒンジ２ａがヒンジ２ｄ、ヒンジ２ｅに平行になるように配置され、張り出し板８裏面が表板９、背板１０または裏板１１の内面に固設されており、紙葉の綴じ具Ａ３または紙葉の綴じ具Ａ４は基板１と張り出し板８間のヒンジ２ａを支点として回動自在であることを特徴とするファイルＢ２。;に関する。
【発明の効果】
【０００６】
本発明の紙葉の綴じ具は、書類、伝票、パンフレット、小冊子等の紙葉を綴じこみやすく、綴じこんだ紙葉が破損・脱離しにくく、綴じこんだ紙葉を取り外しやすい。本発明の紙葉の綴じ込み用ファイルは、書類、伝票、パンフレット、小冊子等の紙葉を綴じこみやすく、綴じこんだ紙葉が破損・脱離しにくく、綴じこんだ紙葉を取り外しやすい。
【発明を実施するための最良の形態】
【０００７】
本発明における紙葉は一枚ものだけでなく、ステープラで留めたもの、パンフレット、小冊子のように一端を綴じたものであってもよい。紙葉は、セルロース系のみならず、合成紙系、フィルム系であってもよい。
本発明の紙葉の綴じ具は、基板１の一辺からヒンジ２ａを介して綴じ板３が折り曲げ自在に延出しており、綴じ板３はその先端部３aとの間に存在するヒンジ２ｂで折り曲げ自在であり、その先端部３ａの手前には２以上の掛止孔４ａが穿設されており、綴じ板３の掛止孔４ａ周囲には２以上の切り込み５ａが存在し、基板１には２以上の掛止棒６が立設されており、掛止棒６はその中心軸６ａより側方に張り出した外れ止め６ｂを有し、掛止孔４ａの径は外れ止め６ｂの最大径より小さく最小径と同等以上であり、掛止孔４ａは掛止棒６に嵌脱自在である。
基板１は、掛止棒を立設できるだけの厚みと物性を有しておればよく、長方形が好ましいが、ヒンジ２ａを介して綴じ板３が延出できる一辺を有しておればよく、特に限定されない。
各掛止孔４ａと各掛止棒６は、ヒンジ２ａ、ヒンジ２ｂに平行に配列しており、綴じ板３を折りたたんだときに各掛止孔４ａが各掛止棒６上にくるように位置している。
【０００８】
基板１に立設されている掛止棒６は、その中心軸６ａより側方に張り出した外れ止め６ｂを有するが、好ましくは、中心軸６ａより側方に張り出した頭部６ｃと中心軸６ａから側方へ延出した鍔６ｄ、または中心軸６ａから側方へ延出した２以上の鍔６ｄを有する。
鍔が複数であると、シート状物の数と厚みに応じて綴じ板３の掛止位置を上下に調節できるので２以上であることが好ましく、３〜１２個存在していることがより好ましい。掛止棒６の先端部に存在する中心軸６ａから側方に延出した頭部６ｃは、鍔６ｄと同様に紙葉の掛止に役立つとともに見栄えがよくなる。掛止棒６は、その根本が中心軸６ａより側方に延出していることが好ましい。基板１への立設が容易になり、離脱しにくくなるからである。掛止棒６の中心軸６ａは円柱状が好ましいが、多角柱状であってもよい。基板１への掛止棒６の立設は、ねじ止め、熱融着、ビス止め、嵌め込み、一体成形などいずれでもよい。
【０００９】
外れ止め６ｂの最大径より小さく、その最小径と同等以上の径を有する掛止孔４ａを有する綴じ板３は、掛止孔４ａが掛止棒６に嵌め込まれ、紙葉を押さえつけてその浮き上がり、ひいては脱離を防止する。
掛止孔４ａの周囲には２以上、好ましくは３〜８の切り込み５ａが存在し、切り込み５ａ間の切片が撓みつつ嵌め込まれるので掛止棒６に嵌め込み容易である。切り込み５ａ間の切片の先端部は掛止棒６の中心軸６ａに接触しているか、中心軸６ａと鍔６ｄの外周部との中間に位置しているので、嵌め込まれた綴じ板３は容易に浮き上がったり、離脱しない。なお、切り込みの数は、３、４、６、８というように等角度に切刻できる数が好ましい。
【００１０】
綴じ板３の厚みは、複数の外れ止め６ｂ間の間隔より小さいことが好ましく、好ましくは、頭部６ｃと鍔６ｄの間隔、鍔６ｄと鍔６ｄの間隔、あるいは鍔６ｄと基板１の間隔より小さいので、掛止棒６に嵌め込まれた綴じ板３は頭部６ｃと鍔６ｄの間隙、鍔６ｄと鍔６ｄの間隙あるいは鍔６ｄと基板１の間隙にとどまり、外れにくい。こうした観点から綴じ板３の厚みは、頭部６ｃと鍔６ｄの間隔、鍔６ｄと鍔６ｄの間隔、あるいは鍔６ｄと基板１頭部の間隔の７０％〜９８％位が好ましい。
綴じ板３の形状は長方形が好ましいが、正方形、多角形であってもよい。
【００１１】
綴じ板３には、ヒンジ２ａと先端部３aとの間にヒンジ２ｂが好ましくは２以上存在する。綴じ板３は、ヒンジ２ａと２以上のヒンジ２ｂで折れ曲がって、先端部３ａと掛止孔４ａ近辺は基板１に平行になり、掛止棒６に嵌め込みやすい。ヒンジ２ｂは２つが最良である。
【００１２】
本発明の紙葉の綴じ具Ａ２は、紙葉の綴じ具Ａ１において、綴じ板３の先端部３aからヒンジ２ｃを介して補助綴じ板３ｂが折り曲げ自在に延出しており、補助綴じ板３ｂには合計２以上の補助掛止孔４ｂが穿設されており、補助綴じ板３ｂの補助掛止孔４ｂ周囲には２以上の切り込み５ｂが存在し、補助掛止孔４ｂの径は外れ止め６ｂの最大径より小さく最小径と同等以上であり、補助掛止孔４ｂは掛止棒６に嵌脱自在である。補助掛止孔４ｂの径は掛止孔４ａの径について説明したのと同様であり、ここでの切り込み５ｂの数は上述したとおりであり、補助綴じ板３ｂの厚みと形状は綴じ板３について説明したのと同様であるが、補助綴じ板３ｂの幅は、綴じ板３ａと同一の幅である必要はなく、二つの切り込み５ｂの最遠部間の間隔より大きければよい。
補助掛止孔４ｂを掛止棒６に嵌めることにより紙葉を二重に綴じることができるので、より確実に紙葉の浮き上がりと離脱を防止できる。
各補助掛止孔４ｂは、ヒンジ２ｃに平行に配列していることが好ましく、綴じ板３を折りたたんだときに各補助掛止孔４ｂが各掛止棒６上にくるように位置している。
【００１３】
本発明の紙葉の綴じ具Ａ３は、紙葉の綴じ具Ａ１において、基板１の一辺からヒンジ２ａを介して綴じ板３が折り曲げ自在に延出しており、前記一辺を下辺とする窓７と、前記一辺からヒンジ２ａを介して延出した張り出し板８が存在するので、張り出し板８の裏面を例えばファイル本体の表板９、背板１０または裏板１１の内面に固設することにより、ヒンジ２ａを支点として、掛止棒６が立設された綴じ板３を回動できる。したがって、多数枚の紙葉を掛止棒６に綴じこみやすく、綴じこんだ多数枚の紙葉を左右に広げやすく、左右に広がった多数枚の紙葉が元通りに閉じにくく、掛止棒近くの記載事項でも読み取りやすく、綴じこんだ多数枚の紙葉を取り外しやすく、使い勝手が向上している。
なお、張り出し板８は長方形が好ましいが、凹字状、凸字状などでもよい。
【００１４】
本発明の紙葉の綴じ具Ａ４は、紙葉の綴じ具Ａ３において、紙葉の綴じ具Ａ２と同様に補助綴じ板３ｂと補助掛止孔４ｂを有するので、紙葉の綴じ具Ａ３と紙葉の綴じ具Ａ２の両方の長所、利点を有する。
【００１５】
掛止棒６は、金属、セラミック、硬質プラスチック、堅い木材等の硬質材料でできていることが好ましく、加工性や成形性と形状保持性の点で硬質の熱可塑性プラスチック製、例えば、ポリプロピレン樹脂製、ついでポリエチレンテレフタレート樹脂製が好ましい。基板１と綴じ板３、基板１と綴じ板３と張り出し板８、基板１と綴じ板３と補助綴じ板３ｂ、あるいは、基板１と綴じ板３と張り出し板８と補助綴じ板３は、硬質かつ可撓性の材料でできていることが好ましく、加工性、成形性、形状保持性、ヒンジ、特にはヒンジの付けやすさと耐屈曲性の点で硬質かつ可撓性の熱可塑性プラスチック製、例えば、ポリプロピレン樹脂製、ついでポリエチレンテレフタレート樹脂製が好ましい。掛止棒６も同一材料でできていると、基板１に立設容易であり、好ましい。ファイル本体の表板９、背板１０、裏板１１も、硬質かつ可撓性の材料でできていることが好ましく、加工性、成形性、形状保持性、ヒンジ、特にはヒンジの付けやすさと耐屈曲性の点で硬質かつ可撓性の熱可塑性プラスチック製、例えば、ポリプロピレン樹脂製、ついでポリエチレンテレフタレート樹脂製が好ましい。基板１、張り出し板８がファイル本体１２の表板９、背板１０、裏板１１と同一の硬質かつ可撓性の熱可塑性プラスチック製、例えば、ポリプロピレン樹脂製やポリエチレンテレフタレート樹脂製であると熱融着が可能であり好ましい。
【００１６】
ヒンジは、断面Ｕ字状や、断面Ｖ字状の溝であり、その深さは折れ曲がりやすさの点で、基板１、綴じ板３の厚みの１/３〜１/１０位が適切である。ヒンジは溝の途中に切り抜き部があってよい。
本発明の紙葉の綴じ具Ａ１、Ａ２、Ａ３、Ａ４は、ファイル本体１２の表板９、背板１０、裏板１１のいずれに固設してもよく、表板９と裏板１１の両方に固設してもよい。表板９、裏板１１に固設する場合は、ヒンジ２ｄ、ヒンジ２ｅに近い所に固設することが好ましい。いずれもヒンジ２ａがヒンジ２ｄ、ヒンジ２ｅに平行になるように固設するとよい。紙葉の綴じ具Ａ１、Ａ２、Ａ３、Ａ４の、ファイル本体１２の表板９、背板１０、裏板１１への固設は、ねじ止め、熱融着、ビス止め、嵌め込み、一体成形、これらの併用などいずれでもよい。
【実施例】
【００１７】
本発明の実施例を図面に基づいて説明する。
【００１８】
図１〜図３は、紙葉の綴じ具Ａ１を示している。ポリプロピレン樹脂製の基板１に２本のポリプロピレン樹脂製の掛止棒６が熱融着により立設しており、掛止棒６はその中心軸６ａから８個の鍔６ｄが側方に延出しており、その先端に中心軸６ａよりも側方に張り出した頭部６ｃが付いている。基板１の一辺からヒンジ２ａを介して綴じ板３が延出しており、その先端部３ａの手前に一対の円形の掛止孔４ａが穿設され、各掛止孔４ａ周囲に６本の切込み５ａが刻切されている。ヒンジ２ａと先端部３ａとの間にはヒンジ２ｂが２箇所で存在しており、綴じ板３はこれらヒンジ３箇所で折れ曲がり、先端部３ａと掛止孔４ａ付近は基板１に平行になっており、綴じ板３の先端部３ａ手前の一対の掛止孔４ａが一対の掛止棒６に嵌め込まれている。換言すれば一対の掛止棒６が一対の掛止孔４ａに嵌め込まれている。なお、各掛止棒６には側縁部手前に一対の挿通孔を有する紙葉多数枚（図示せず）が前もって嵌め込まれており、これら紙葉の挿通孔周辺は綴じ板３と基板１間に挟持されている。
【００１９】
綴じ板３はポリプロピレン樹脂製であり、各掛止孔４ａは、各掛止棒６の中心軸６ａの直径と同一の直径を有し、各掛止孔４ａの周囲には６本の切込み５ａが存在するので、嵌め込み時に切り込み５ａ間の切片は撓みやすい。しかも、綴じ板３の厚みが０．７５ｍｍであり、頭部６ｃと鍔６ｂの間隔、鍔６ｄと鍔６ｄの間隔および鍔６ｄと基板１の間隔０．８０ｍｍより心持ち小さいので、各掛止孔４ａは各掛止棒６に嵌め込みやすく、一度嵌め込むと容易に浮き上がったり、離脱しない。各掛止棒６に嵌め込まれた綴じ板３の切り込み５ａ間の切片は、頭部６ｃと鍔６ｄ間の間隙、鍔６ｄと鍔６ｄ間の間隙および鍔６ｄと基板１間の間隙にとどまり、外れにくい。綴じ込んだ紙葉を取り出すときは、前もって綴じ板３を指で摘まんで各掛止棒６から取り外しておけばよい。
【００２０】
図４〜図６は、図１〜図３に示す紙葉の綴じ具Ａ１において、綴じ板３の先端部３ａからヒンジ２ｃを介して二枚のポリプロピレン樹脂製の補助綴じ板３ｂが折り返し自在に延出している紙葉の綴じ具Ａ２を示している。
各補助綴じ板３ｂの中央部に補助掛止孔４ｂが穿設され、各補助掛止孔４ｂは、一対の掛止棒６の中心軸６ａの直径と同一の直径を有し、各補助掛止孔４ｂ周囲に６本の切り込み５ｂが等間隔で刻切されている。各補助綴じ板３ｂは、基板１に平行になっており、各補助綴じ板３ｂの各補助掛止孔４ｂが各掛止棒６に嵌め込まれている。各補助綴じ板３ｂの厚みと材料は綴じ板３と同一であるので、各補助掛止孔４ｂは各掛止棒６に嵌脱自在であり、紙葉を二重に綴じるので、紙葉の綴じ具Ａ１より確実に紙葉を綴じることができる。
【００２１】
図７〜図９は、図１〜図３に示す紙葉の綴じ具Ａ１において、基板１の一辺を下辺とする窓７が存在し、その一辺からヒンジ２ａを介してポリプロピレン樹脂製の張り出し板８が延出した紙葉の綴じ具Ａ３を示している。張り出し板８の裏面を、例えばファイル本体１２の表板９、背板１０または裏板１１の内面に固設することにより、ヒンジ２ａを支点として、掛止棒６が立設された基板１を回動できるので、多数枚の紙葉を綴じこみやすく、綴じこんだ多数枚の紙葉を左右に広げやすく、左右に広がった多数枚の紙葉が元通りに閉じにくく、多数枚の紙葉の掛止棒近くの記載事項でも読み取りやすく、綴じこんだ多数枚の紙葉を取り外しやすく、紙葉の綴じ具Ａ１より使い勝手が向上している。
【００２２】
図１０〜図１２は、図４〜図６に示す紙葉の綴じ具Ａ２において、基板１の一辺を下辺とする窓７が存在し、その一辺からヒンジ２ａを介してポリプロピレン樹脂製の張り出し板８が延出した掛止具Ａ４を示している。張り出し板８の裏面を、例えばファイル本体１２の表板９、背板１０または裏板１１の内面に固設することにより、ヒンジ２ａを支点として、掛止棒６が立設された基板１を回動できるので、多数枚の紙葉を綴じこみやすく、綴じこんだ多数枚の紙葉を左右に広げやすく、左右に広がった多数枚の紙葉が元通りに閉じにくく、多数枚の紙葉の掛止棒近くの記載事項でも読み取りやすく、綴じこんだ多数枚の紙葉を取り外しやすく、紙葉の綴じ具Ａ２より使い勝手が向上している。
なお、各紙葉の綴じ具において、掛止孔４ａ、補助掛止孔４ｂの掛止棒６への嵌め込み、取り外しは、綴じ板３、補助綴じ板３ｂを指などで摘まんで行えばよい。
【００２３】
図１３は、ポリプロピレン樹脂製の表板９、背板１０および裏板１１を表板・背板間のヒンジ２ｄおよび背板・裏板間のヒンジ２ｅで開閉自在に連設してなるファイル本体１２と、紙葉の綴じ具Ａ１とからなり、ヒンジ２ａがヒンジ２ｄ、ヒンジ２ｅに平行になるように配置され、基板１裏面が背板１０内面に熱融着されているファイルＢ１を示している。
【００２４】
図１４は、ポリプロピレン樹脂製の表板９、背板１０および裏板１１を表板・背板間のヒンジ２ｄおよび背板・裏板間のヒンジ２ｅで開閉自在に連設してなるファイル本体１２と、紙葉の綴じ具Ａ２とからなり、ヒンジ２ａがヒンジ２ｄ、ヒンジ２ｅに平行になるように配置され、基板１裏面が背板１０内面に熱融着されているファイルＢ２を示している。補助綴じ板３ｂにより紙葉を二重に綴じるので、ファイルＢ１より確実に紙葉を綴じることができる。
【００２５】
図１５は、ポリプロピレン樹脂製の表板９、背板１０および裏板１１を表板・背板間のヒンジ２ｄおよび背板・裏板間のヒンジ２ｅで開閉自在に連設してなるファイル本体１２と、紙葉の綴じ具Ａ３とからなり、ヒンジ２ａがヒンジ２ｄ、ヒンジ２ｅに平行になるように配置され、張り出し板８の裏面が背板１０内面に熱融着されているファイルＢ３を示している。ヒンジ２ａを支点として、掛止棒６が立設された基板１を回動できるので、多数枚の紙葉を綴じこみやすく、綴じこんだ多数枚の紙葉を左右に広げやすく、左右に広がった多数枚の紙葉が元通りに閉じにくく、多数枚の紙葉の掛止棒近くの記載事項でも読み取りやすく、綴じこんだ多数枚の紙葉を取り外しやすく、ファイルＢ１より使い勝手が向上している。
【００２６】
図１６は、ポリプロピレン樹脂製の表板９、背板１０および裏板１１を表板・背板間のヒンジ２ｄおよび背板・裏板間のヒンジ２ｅで開閉自在に連設してなるファイル本体１２と、紙葉の綴じ具Ａ４とからなり、ヒンジ２ａがヒンジ２ｄ、ヒンジ２ｅに平行になるように配置され、張り出し板８の裏面が背板１０内面に熱融着されているファイルＢ４を示している。補助綴じ板３ｂにより紙葉を二重に綴じるので、ファイルＢ３より確実に紙葉を綴じることができる。
なお、図１〜図１１の大半において、ヒンジ２ａ〜ヒンジ２ｃは、断面Ｖ字溝が非常に深いように描かれているが、作図の都合上深く描かれているだけであり、溝最深部の肉厚は綴じ板３や補助綴じ板３ｂの厚さの約１／４である。
【産業上の利用可能性】
【００２７】
本発明の紙葉の綴じ具は、多数枚の伝票、メモ用紙、幅が広い紙葉、例えばＢ５、Ａ４、Ｂ４の紙葉、パンフレット、小冊子に２以上の孔をあけて綴じるのに有用であり、単独で使用してもよいが、紙綴じ用ファイルの綴じ具としても有用である。
本発明のファイルは、多数枚の伝票、メモ用紙、幅が広い紙葉、例えばＢ５、Ａ４、Ｂ４の紙葉、パンフレット、小冊子に２以上の孔をあけて綴じるのに有用である。
【図面の簡単な説明】
【００２８】
【図１】１実施例である紙葉の綴じ具Ａ１の側面図である。
【図２】１実施例である紙葉の綴じ具Ａ１において、綴じ板３の先端部３ａ手前の掛止孔４ａが掛止棒６に嵌め込まれている状態を示す側面図である。
【図３】１実施例である紙葉の綴じ具Ａ１の正面図である。
【図４】１実施例である紙葉の綴じ具Ａ２の側面図である。
【図５】１実施例である紙葉の綴じ具Ａ２において、綴じ板３の先端部３ａ手前の掛止孔４ａと補助綴じ板３ｂの補助掛止孔４ｂとが掛止棒６に嵌め込まれている状態を示す側面図である。
【図６】１実施例である紙葉の綴じ具Ａ２の正面図である。
【図７】１実施例である紙葉の綴じ具Ａ３の側面図である。
【図８】１実施例である紙葉の綴じ具Ａ３において、綴じ板３の先端部３ａ手前の掛止孔４ａが掛止棒６に嵌め込まれている状態を示す側面図である。
【図９】１実施例である紙葉の綴じ具Ａ３の正面図である。
【図１０】１実施例である紙葉の綴じ具Ａ４の側面図である。
【図１１】１実施例である紙葉の綴じ具Ａ４において、綴じ板３の先端部３ａ手前の掛止孔４ａと補助綴じ板３ｂの補助掛止孔４ｂとが掛止棒６に嵌め込まれている状態を示す側面図である。
【図１２】１実施例である紙葉の綴じ具Ａ４の正面図である。
【図１３】１実施例であるファイルＢ１の裏板の一部を省略した概略斜視図である。紙葉の綴じ具Ａ１は透明である。各部材は厚みがあり、各ヒンジは深みがあるが、図示していない。
【図１４】１実施例であるファイルＢ２の裏板の一部を省略した概略斜視図である。紙葉の綴じ具Ａ２は透明である。各部材は厚みがあり、各ヒンジは深みがあるが、図示していない。
【図１５】１実施例であるファイルＢ３の裏板の一部を省略した概略斜視図である。紙葉の綴じ具Ａ３は透明である。各部材は厚みがあり、各ヒンジは深みがあるが、図示していない。
【図１６】１実施例であるファイルＢ４の裏板の一部を省略した概略斜視図である。紙葉の綴じ具Ａ４は透明である。各部材は厚みがあり、各ヒンジは深みがあるが、図示していない。
【符号の説明】
【００２９】
１    基板
２ａ  ヒンジ
２ｂ  ヒンジ
２ｃ  ヒンジ
２ｄ  ヒンジ
２ｅ  ヒンジ
３    綴じ板
３ａ  先端部
３ｂ  補助綴じ板
４ａ  掛止孔
４ｂ  補助掛止孔
５ａ  切り込み
５ｂ  切り込み
６    掛止棒
６ａ  中心軸
６ｂ  外れ止め
６ｃ  頭部
６ｄ  鍔
７    窓
８    張り出し板
９    表板
１０  背板
１１  裏板
１２  ファイル本体
Ａ１  紙葉の綴じ具
Ａ２  紙葉の綴じ具
Ａ３  紙葉の綴じ具
Ａ４  紙葉の綴じ具
Ｂ１  ファイル
Ｂ２  ファイル
Ｂ３  ファイル
Ｂ４  ファイル
【図１】
2005335359.tif 000003
【図２】
2005335359.tif 000004
【図３】
2005335359.tif 000005
【図４】
2005335359.tif 000006
【図５】
2005335359.tif 000007
【図６】
2005335359.tif 000008
【図７】
2005335359.tif 000009
【図８】
2005335359.tif 000010
【図９】
2005335359.tif 000011
【図１０】
2005335359.tif 000012
【図１１】
2005335359.tif 000013
【図１２】
2005335359.tif 000014
【図１３】
2005335359.tif 000015
【図１４】
2005335359.tif 000016
【図１５】
2005335359.tif 000017
【図１６】
2005335359.tif 000018
【手続補正書】
【提出日】平成16年7月20日(2004.7.20)
【手続補正１】
【補正対象書類名】図面
【補正対象項目名】全図
【補正方法】変更
【補正の内容】
【図１】
2005335359.tif 000019
【図２】
2005335359.tif 000020
【図３】
2005335359.tif 000021
【図４】
2005335359.tif 000022
【図５】
2005335359.tif 000023
【図６】
2005335359.tif 000024
【図７】
2005335359.tif 000025
【図８】
2005335359.tif 000026
【図９】
2005335359.tif 000027
【図１０】
2005335359.tif 000028
【図１１】
2005335359.tif 000029
【図１２】
2005335359.tif 000030
【図１３】
2005335359.tif 000031
【図１４】
2005335359.tif 000032
【図１５】
2005335359.tif 000033
【図１６】
2005335359.tif 000034